(57)【特許請求の範囲】
【請求項１】
処理装置本体での処理を指示する指示情報並びに当該処理装置本体の処理に関わる処理情報を表示する表示機能と前記指示情報の表示領域内を触れることで当該指示情報を指定する入力機能とを備えたタッチパネル部と、タッチパネル部の背面側から点灯することで表示内容を明瞭化するバックライト部と、を具備するユーザーインターフェイス部と、
前記タッチパネル部の表示機能と入力機能を含み、前記処理装置本体の処理を制御する制御部と、
前記処理装置本体の周辺において移動中の移動体を検出可能であり、少なくとも検出可能距離が相対的に長短の関係を持つ少なくとも２種類の移動体検出手段と、
前記移動体検出手段の内、検出距離が長い一方の移動体検出手段で移動体を検出した時点で、検出距離が短い他方の移動検出手段による検出を開始し、かつ前記他方の移動体検出手段で移動体を検出した時点で、前記制御部に電力を供給すると共に、前記バックライト部を通常の明るさで点灯させる段階的電力供給手段と、
前記制御部に電力が供給されている状態で、前記他方の移動体検出手段が移動体を検出しなくなると、最先に前記バックライト部を通常の明るさよりも暗い予め定めた明るさになるように、明るさを調整する調整手段と、
を有する電力供給制御装置。
【請求項２】
前記調整手段で前記バックライト部を予め定めた明るさに低減している状態で、前記一方の移動体検出手段が移動体を検出しなくなると、最先に前記バックライト部を消灯するように、供給電力を遮断する電力遮断手段とをさらに有する請求項１記載の電力供給制御装置。
【請求項３】
前記調整手段で前記バックライト部を予め定めた明るさに低減している状態で、前記一方の移動体検出手段が移動体を検出しなくなってから、予め設定された限界時間まで時間を計時する計時手段と、
前記計時手段の計時時間の長さに応じて、前記予め定めた明るさから段階的に暗くしていき、前記限界時間に到達した時点でバックライト部を消灯するように、電力供給を遮断する段階的電力低減手段とをさらに有する請求項１記載の電力供給制御装置。
【請求項４】
前記バックライト部の電力供給遮断時には、前記ユーザーインターフェイス部全体への電力供給を遮断する請求項１〜請求項３の何れか１項記載の電力供給制御装置。
【請求項５】
前記移動体検出手段が、相対的に広範囲の検出領域で移動体の進入を検出する焦電型センサ、相対的に狭範囲の検出領域で前記処理装置本体に接近する使用者の接近を検出する反射型センサを含む請求項１〜請求項４の何れか１項記載の電力供給制御装置。
【請求項６】
前記焦電型センサには常に電力が供給され、前記反射型センサは前記焦電型センサにより移動体の進入を検出した時点で電力が供給される請求項５記載の電力供給制御装置。
【請求項７】
前記請求項１〜請求項６の何れか１項記載の電力供給制御装置を備え、前記処理装置本体が、原稿画像から画像を読み取る画像読取処理部、画像情報に基づいて記録用紙に画像を形成する画像形成処理部、予め相互に定められた通信手順の下で画像を送受信するファクシミリ通信処理部、の少なくとも１つの処理部を含み、
前記バックライト部を消灯する時期に同期して、当該バックライト部の消灯時に稼動していない処理部への電力供給を遮断する個別電力供給手段を有する画像処理装置。
【請求項８】
コンピュータを、前記請求項１〜請求項６の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
処理装置、例えば、画像処理装置では、低消費電力化を図るため、未使用時は不要な電力を供給しない省電力モードに移行する機能を有している。
【０００３】
特許文献１には、画像処理装置の不使用時の電力を軽減するための技術として、定着装置の使用からの予め定めた時間が経過すると自動的に節電状態に移行する第１のタイマと、複合装置の操作又は外部からアクセスされたときの動作終了からの所定時間が経過すると自動的に電源オフ状態に移行する第２のタイマと、を持って制御することが提案されている。
【０００４】
また、特許文献２には、人検知機能を有し、人がいない場合にＵＩ（ユーザーインターフェイス）の表示を消すことが記載されている。より具体的には、所定の画像を表示する表示手段と、情報処理装置の近傍に人が存在していることを検出する人検出手段とを有し、人検出手段が人を検出しなくなった後に、人検出手段が人を検出していた時間である人検出時間と、第１のしきい値とを比較し、人検出手段が人を検出すれば、表示手段に歩S低の画像を表示させ、また、表示手段に所定の画像表示されているときに、人検出手段が人を検出しなくなれば、比較した結果に基づいて、表示手段に表示されている所定の画像を消去させる情報処理装置が開示されている。
【０００５】
参考として、特許文献３には、オペレータが近づいてきたことを検知して操作部の表示を点灯、離れていくと消灯することで省エネに貢献することが記載されている。また、特許文献４には、使用者の使用状況に応じて表示装置の明るさを下げるなど動的に可変とすることが記載されている。
【先行技術文献】
【特許文献】
【０００６】
【特許文献１】特開２００３−１６３７６９号公報
【特許文献２】特開２００２−００６６８６号公報
【特許文献３】特開平０３−０９６９６９号公報
【特許文献４】特開平０５−２２４７８７号公報
【発明の概要】
【発明が解決しようとする課題】
【０００７】
本発明は、ユーザーの視野の中心となるインターフェイス部から視線をそらすことなく、処理装置本体の電力供給状態を認識し易くすることができる電力供給制御装置、画像処理装置、電力供給制御プログラムを得ることが目的である。
【課題を解決するための手段】
【０００８】
請求項１に記載の発明は、処理装置本体での処理を指示する指示情報並びに当該処理装置本体の処理に関わる処理情報を表示する表示機能と前記指示情報の表示領域内を触れることで当該指示情報を指定する入力機能とを備えたタッチパネル部と、タッチパネル部の背面側から点灯することで表示内容を明瞭化するバックライト部と、を具備するユーザーインターフェイス部と、前記タッチパネル部の表示機能と入力機能を含み、前記処理装置本体の処理を制御する制御部と、前記処理装置本体の周辺において移動中の移動体を検出可能であり、少なくとも検出可能距離が相対的に長短の関係を持つ少なくとも２種類の移動体検出手段と、前記移動体検出手段の内、検出距離が長い一方の移動体検出手段で移動体を検出した時点で、検出距離が短い他方の移動検出手段による検出を開始し、かつ前記他方の移動体検出手段で移動体を検出した時点で、前記制御部に電力を供給すると共に、前記バックライト部を通常の明るさで点灯させる段階的電力供給手段と、前記制御部に電力が供給されている状態で、前記他方の移動体検出手段が移動体を検出しなくなると、最先に前記バックライト部を通常の明るさよりも暗い予め定めた明るさになるように、明るさを調整する調整手段と、
を有している。
【０００９】
請求項２に記載の発明は、前記請求項１に記載の発明において、前記調整手段で前記バックライト部を予め定めた明るさに低減している状態で、前記一方の移動体検出手段が移動体を検出しなくなると、最先に前記バックライト部を消灯するように、供給電力を遮断する電力遮断手段とをさらに有する。
【００１０】
請求項３に記載の発明は、前記請求項１に記載の発明において、前記調整手段で前記バックライト部を予め定めた明るさに低減している状態で、前記一方の移動体検出手段が移動体を検出しなくなってから、予め設定された限界時間まで時間を計時する計時手段と、前記計時手段の計時時間の長さに応じて、前記予め定めた明るさから段階的に暗くしていき、前記限界時間に到達した時点でバックライト部を消灯するように、電力供給を遮断する段階的電力低減手段とをさらに有する。
【００１１】
請求項４に記載の発明は、前記請求項１〜請求項３の何れか１項記載の発明において、前記バックライト部の電力供給遮断時には、前記ユーザーインターフェイス部全体への電力供給を遮断する。
【００１３】
請求項５に記載の発明は、前記請求項１〜請求項４の何れか１項記載の発明において、前記移動体検出手段が、相対的に広範囲の検出領域で移動体の進入を検出する焦電型センサ、相対的に狭範囲の検出領域で前記処理装置本体に接近する使用者の接近を検出する反射型センサを含む。
【００１４】
請求項６に記載の発明は、前記請求項５に記載の発明において、前記焦電型センサには常に電力が供給され、前記反射型センサは前記焦電型センサにより移動体の進入を検出した時点で電力が供給される。
【００１５】
請求項７に記載の発明は、前記請求項１〜請求項６の何れか１項記載の電力供給制御装置を備え、前記処理装置本体が、原稿画像から画像を読み取る画像読取処理部、画像情報に基づいて記録用紙に画像を形成する画像形成処理部、予め相互に定められた通信手順の下で画像を送受信するファクシミリ通信処理部、の少なくとも１つの処理部を含み、前記バックライト部を消灯する時期に同期して、当該バックライト部の消灯時に稼動していない処理部への電力供給を遮断する個別電力供給手段を有する画像処理装置である。
【００１６】
請求項８に記載の発明は、コンピュータを、前記請求項１〜請求項６の何れか１項記電力供給制御装置として実行させる電力供給制御プログラムである。
【発明の効果】
【００１７】
請求項１記載の発明によれば、ユーザーの視野の中心となるインターフェイス部から視線をそらすことなく、処理装置本体の電力供給状態を認識し易くすることができる。
【００１８】
請求項２記載の発明によれば、本構成を有しない場合に比べて、省エネ性を向上することができる。
【００１９】
請求項３記載の発明によれば、本構成を有しない場合に比べて、利便性を向上することができる。
【００２０】
請求項４記載の発明によれば、本構成を有しない場合に比べて、省エネ性を向上することができる。
【００２２】
請求項５に記載の発明によれば、適材適所のセンサを配置することができる。
【００２３】
請求項６に記載の発明によれば、本構成を有しない場合に比べて、省エネ性を向上することができる。
【００２４】
請求項７、８に記載の発明によれば、ユーザーの視野の中心となるインターフェイス部から視線をそらすことなく、処理装置本体の電力供給状態を認識し易くすることができる。
【図面の簡単な説明】
【００２５】
【図１】本実施の形態に係る画像処理装置を含む通信回線網接続図である。
【図２】本実施の形態に係る画像処理装置の概略図である。
【図３】本実施の形態に係る画像処理装置の制御系の構成を示すブロック図である。
【図４】本実施の形態に係るメインコントローラと電源装置の制御系を機能別に概略図である。
【図５】画像処理装置における、各モード状態と、当該モード状態の移行の契機となる事象を示したタイミングチャートである。
【図６】本実施の形態に係り、画像処理装置及びその周辺示す平面図である。
【図７】本実施の形態に係り、画像処理装置及びその周辺示す斜視図である。
【図８】本実施の形態に係るピラー部前面に設けられたカバー部材の斜視図である。
【図９】メインコントローラを中心とした、バックライト部の輝度（明るさ）調整に特化した機能ブロック図である。
【図１０】移動体と画像処理装置との相対位置関係を示す平面図（領域外→領域Ｆ進入）である。
【図１１】移動体と画像処理装置との相対位置関係を示す平面図（領域Ｆ→領域Ｎ進入）である。
【図１２】移動体と画像処理装置との相対位置関係を示す平面図（領域Ｎ→領域Ｆ離脱）である。
【図１３】移動体と画像処理装置との相対位置関係を示す平面図（領域Ｆ→領域外離脱）である。
【図１４】本実施の形態に係り、バックライト部の輝度（明るさ）調整を含む、節電中電力供給時期監視制御ルーチンを示すフローチャートである。
【図１５】バックライト部の輝度（明るさ）を段階的に減光するための特性図である。
【図１６】図１４のフローチャートにそって処理される、主たる移動体（使用者）の移動状態と電力供給制御状態との関係を示すルート変遷図である。
【発明を実施するための形態】
【００２６】
図１に示される如く、本実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００２７】
また、このネットワーク通信回線網２０には、情報端末機器としての複数のＰＣ（パーソナルコンピュータ）２１が接続されている。図１では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００２８】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００２９】
図２には、本実施の形態に係る画像処理装置１０が示されている。
【００３０】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００３１】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００３２】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００３３】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００３４】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００３５】
（画像処理装置の制御系ハード構成）
図３は、画像処理装置１０の制御系のハード構成の概略図である。
【００３６】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。なお、ＵＩタッチパネル２１６には、ＵＩタッチパネル用バックライト部２１６ＢＬが取り付けられている。
【００３７】
また、画像処理装置１０は、電源装置２０２を備えており、メインコントローラ２００とは信号ハーネス２０１で接続されている。
【００３８】
電源装置２０２は、商用電源２４２から入力電源線２４４を介して電力の供給を受けている。
【００３９】
電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００４０】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００４１】
（部分節電構成を主体とした機能ブロック図）
図４は、前記メインコントローラ２００によって制御される被動作部（「処理部」、「デバイス」、「モジュール」等と称する場合もある）、並びにメインコントローラ２００、並びに各デバイスへ電源を供給するための電源装置２０２の電源ラインを主体とした概略構成図である。本実施の形態では、画像処理装置１０が処理部単位で電力供給又は非供給が可能でとなっている（部分節電制御）。なお、処理部単位の部分節電は一例であり、処理部をいくつかのグループに分類しグループ単位で節電の制御を行ってもよい。
【００４２】
また、部分節電の対象としてメインコントローラ２００も含まれており、全ての処理部が節電される場合、監視制御部２４（後述）が必要最小限の電力を受け、その他の制御機器への電力供給を遮断するようになっている（「節電モード」又は「スリープモード」という場合がある）。
【００４３】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩタッチパネル２１６（バックライト部２１６ＢＬを含む）が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ、ＤＶＤ、ＢＤ（ブルーレイディスク）、ＵＳＢメモリ、ＳＤメモリ等）から該プログラムをインストールし、これに基づいてＣＰＵ２０４が動作することにより画像処理機能を実現してもよい。
【００４４】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００４５】
なお、前記タイマ回路２２０は、前記ファクシミリ通信制御回路２３６、画像読取部２３８、画像形成部２４０を節電状態（電力供給遮断状態）とするための契機として、計時を行うものである（以下、「システムタイマ」という場合がある）。
【００４６】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００４７】
［電源装置２０２］
図４に示される如く、商用電源２４２から引き込まれた入力電源線２４４は、メインスイッチ２４６に接続されている。メインスイッチ２４６がオンされることで、第１の電源部２４８及び、第１のサブ電源スイッチ２５６を介して第２の電源部２５０へ電力供給が可能となる。
【００４８】
第１の電源部２４８は、制御用電源生成部２４８Ａを備え、メインコントローラ２００の電源制御回路２５２に接続されている。電源制御回路２５２は、メインコントローラ２００に電力を供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源線を導通／非導通させるためのスイッチング制御を行う。
【００４９】
一方、第２の電源部２５０へ接続される電源線２５４（接地側）には、第１のサブ電源スイッチ２５６（以下、「ＳＷ−１」という場合がある。）が介在されている。このＳＷ−１は、前記電源制御回路２５２で、オン・オフが制御されるようになっている。すなわち、このＳＷ−１がオフのときは第２の電源部２５０は機能しない（「ＳＷ−１」以降は消費電力０状態）。
【００５０】
第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモータ等で使用される電源である。
【００５１】
第２の電源部２５０の２４Ｖ電源部２５０Ｈ（ＬＶＰＳ２）及び５Ｖ電源部２５０Ｌ（ＬＶＰＳ１）は、選択的に、画像読取部電力供給部２５８、画像形成部電力供給部２６０、ファクシミリ通信制御回路電力供給部２６４、ＵＩタッチパネル電力供給部２６６に接続されている。
【００５２】
画像読取部電力供給部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００５３】
画像形成部電力供給部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００５４】
ファクシミリ通信制御回路電力供給部２６４は、２４Ｖ電源部２５０Ｈ（ＬＶＰＳ２）と５Ｖ電源部２５０Ｌ（ＬＶＰＳ１）を入力源として、第４のサブ電源スイッチ２７４（以下、「ＳＷ−４」という場合がある。）を介して、ファクシミリ通信制御回路２３６及び画像形成部２４０に接続されている。
【００５５】
ＵＩタッチパネル電力供給部２６６は、５Ｖ電源部２５０Ｌ（ＬＶＰＳ１）と２４Ｖ電源部２５０Ｈ（ＬＶＰＳ２）を入力源として、第５のサブ電源スイッチ２７６（以下、「ＳＷ−５」という場合がある。）を介して、ＵＩタッチパネル２１６（バックライト部２１６ＢＬを含む）に接続されている。
【００５６】
前記第２のサブ電源スイッチ２６８、第３のサブ電源スイッチ２７０、第４のサブ電源スイッチ２７４、第５のサブ電源スイッチ２７６は、それぞれ前記第１のサブ電源スイッチ２５６と同様に、メインコントローラ２００の電源制御回路２５２からの電源選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８〜２７６は電源装置２０２でなく、電力供給先の各デバイス内に配置されても良い。また、図示していない画像形成部の定着部（図３に示す「Ｆｕｓｅｒ」に相当）は、商用電源２４２が、第１のサブ電源スイッチ２５６（「ＳＷ−１」）以降から供給され、画像形成部２４０で必要なときのみ通電される。
【００５７】
上記構成では、機能別に各デバイス（ファクシミリ通信制御回路２３６、画像読取部２３８、画像形成部２４０）を選択した電力を供給し、指示された機能に不要なデバイスへの電源を供給しないため、必要最小限の電力で済む。
【００５８】
（画像処理装置の状態遷移のための監視制御）
ここで、本実施の形態のメインコントローラ２００は、必要最小限の電力消費となるように、部分的にその機能を停止させる場合がある（部分節電）。或いは、メインコントローラ２００の大部分を含め、電力の供給を停止させる場合がある（「スリープモード（節電モード））。
【００５９】
スリープモードは、例えば、画像処理が終了した時点でシステムタイマを起動させることで移行可能である。すなわち、前記システムタイマが起動してから所定時間経過することで電力供給を停止させている。なお、所定時間が経過するまでに、何らかの操作（ハードキーの操作等）があれば、当然、スリープモードへのタイマカウントは中止され、次の画像処理終了時からシステムタイマが起動される。
【００６０】
一方、上記スリープモード中において、常に電力の供給を受ける素子として、節電中監視制御部２４（図４参照）がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等を備えるようにしてもよい。
【００６１】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、電源制御回路２５２を介して、第１のサブ電源スイッチ２５６、第２のサブ電源スイッチ２６８、第３のサブ電源スイッチ２７０、第４のサブ電源スイッチ２７４、第５のサブ電源スイッチ２７６を制御することで、電力の供給を行なうことが前提である。
【００６２】
（メインコントローラの電力供給／遮断制御）
また、図４に示される如く、メインコントローラ２００のＩ／Ｏ２１０には、節電制御ボタン２６（単に、「節電ボタン２６」という場合がある。）が接続されており、節電中に使用者がこの節電制御ボタン２６を操作することで、節電モードが解除可能となっている。なお、この節電制御ボタン２６には、処理部に電力が供給されているときに操作されることで、当該処理部の電力供給を強制的に遮断し、節電状態にする機能を併せ持つ。また、メインコントローラ２００のＩ／Ｏ２１０には、ＩＣカードリーダー２１７が接続されている。
【００６３】
ここで、スリープモードで監視するためには、節電中監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００６４】
なお、スリープモードの特定の期間として、メインコントローラ２００、ＵＩタッチパネル２１６やＩＣカードリーダー２１７等の入力系を主体とした必要最小限の電力供給を供給する期間を設けてもよい。これは、使用者への利便性を考慮したものである。また、前記スリープモードの特定の期間を、依然としてスリープモードと定義するか、或いは別のモードとして定義するかは特に重要ではない。例えば、スリープモードの定義が、「予め定めた省エネレベル等の消費電力以下」であるならば、前記スリープモードの特定の期間の消費電力が、前記予め定めた省エネレベル以下を維持するか否かによって判断すればよい。
【００６５】
例えば、スリープモード中に、使用者が節電制御ボタン２６を操作し、処理機能として、複写しようとする場合、特定の期間として、まず、メインコントローラ２００を立ち上げて、ＵＩタッチパネル２１６の操作や、ＩＣカードリーダー２１７によるカード認証を可能とした後、使用者の操作状況に応じて、デバイスを選択して電力を供給するようにすれば、利便性と省エネ性を両立可能である。なお、この特定の期間は、後述する人感センサによる人検出時であってもよい。
【００６６】
（人感センサの機能）
ところで、スリープモード時に使用者が画像処理装置１０の前に立ち、その後に節電制御ボタン２６を操作して、電力供給を再開した場合、画像処理装置１０が立ち上がるまでに時間を要する場合があった。
【００６７】
そこで、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電制御ボタン２６と第１の人感センサ２８、第２の人感センサ３０とを併用しているが、第１の人感センサ２８、第２の人感センサ３０のみで全ての監視を行うことも可能である。
【００６８】
図４に示される如く、第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００６９】
なお、第１の人感センサ２８、第２の人感センサ３０は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００７０】
「第１の人感センサ２８」
本実施の形態に係る第１の人感センサ２８の仕様は、画像処理装置１０の周囲（例えば、１ｍ〜５ｍの範囲）において、移動体の動きを検出するものである。この場合、焦電素子の焦電効果を用いた赤外線センサ等が代表的である（焦電型センサ）。本実施の形態では、第１の人感センサ２８として焦電型センサを適用している。
【００７１】
この第１の人感センサ２８に適用された焦電素子の焦電効果を用いたセンサの最大の特徴は、検出領域が広いことである。また、移動体の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００７２】
なお、本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００７３】
但し、人が画像処理装置１０の前で、例えば画像形成や画像読取等の処理を待つ間、その場でストレッチ運動等を行うと、人感センサ２８では、人の存在を検出する場合もある。
【００７４】
従って、当該「静止」を定義して第１の人感センサ２８による動き検出のためのしきい値を設定するのではなく、しきい値は比較的おおまか、かつ標準的に設定し、環境（温度、湿度等）に基づく、当該第１の人感センサ２８の検出状態に依存するようにしてもよい。すなわち、装置設置場所において、実験的に又は統計的に、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とするようなしきい値を設定すればよい。
【００７５】
本実施の形態に係る第１の人感センサ２８の仕様は、画像処理装置１０の周囲（例えば、０ｍ〜５ｍの範囲）において、移動体の動きを検出するものである。
【００７６】
「第２の人感センサ３０」
一方、本実施の形態に係る第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００７７】
この第２の人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００７８】
なお、第１の人感センサ２８、第２の人感センサ３０として、以下に示す機能をそれぞれ達成することが可能であれば、第１の人感センサ２８として焦電型センサや、第２の人感センサ３０として反射型センサに限定されるものではない。
【００７９】
ここで、本実施の形態では、第１の人感センサ２８と第２の人感センサ３０により、最大検出範囲（例えば、図６及び図７の第１の領域Ｆと第２の領域Ｎ）を設定した。
【００８０】
相対的に遠い検出領域である図６の第１の領域Ｆ（単に、「領域Ｆ」という場合がある）は、第１の人感センサ２８による検出領域であり、相対的に遠隔の移動体検出手段としての機能を有する。また、相対的に近い検出領域である図６の第２の領域Ｎ（単に、「領域Ｎ」という場合がある）は、第２の人感センサ３０による検出領域であり、相対的に近接の移動体検出手段としての機能を有する。
【００８１】
第１の人感センサ２８の検出領域（図６の第１の領域Ｆ参照）は、画像処理装置１０が設置されている場所の環境にもよるが、目安として臨界点（最も遠い位置）が０．８〜３ｍ程度が好ましい。一方、第２の人感センサ３０の検出領域（図６の第２の領域Ｎ)参照）は、画像処理装置１０のＵＩタッチパネル２１６やハードキーの操作が可能な範囲であり、目安として臨界点（最も遠い位置）が０．２〜１．０ｍ程度が好ましい。また、当然ではあるが、双方の設定後、第１の人感センサ２８の臨界点の方が、第２の人感センサ３０の臨界点よりも遠くなる。
【００８２】
（第１の人感センサ２８、第２の人感センサ３０及びその周辺の構成）
図７に示される如く、画像処理装置１０は、画像読取装置２３８と、画像形成装置２４０等が筐体３００に覆われており、第１の人感センサ２８（第２の人感センサ３０を含む）は、当該筐体３００における、縦長矩形状のピラー部３０２に取り付けられている。ピラー部３０２は、前記画像読取装置２３８を覆う上筐体３００Ａと画像形成装置２４０を覆う下筐体３００Ｂとを連結する部分であり、その内部は記録用紙搬送系等が組み付けられている。
【００８３】
ピラー部３０２の前面は、前記ピラー部３０２を意匠的な要素を持って被覆する縦長の矩形状のカバー部材３０４が取り付けられている。
【００８４】
カバー部材３０４の下面と、前記下筐体３００Ｂの上面との間には、隙間部が設けられている。また、図８に示される如く、カバー部材３０４の下端部は所謂面取り加工（面取り部３０４Ａ）形状とされ、前記隙間部３１２の開口面積が、奥側の隙間寸法よりも大きくなっている。
【００８５】
前記面取り部３０４Ａには矩形状の貫通孔３０４Ｂが設けられ、第１の人感センサ２８が取り付けられている。このため、貫通孔３０４Ｂは、前記第１の人感センサ２８により移動体を検出するための監視窓としての役目を有する。以下、貫通孔３０４Ｂを監視窓３０４Ｂという場合がある。
【００８６】
ここで、監視窓３０４Ｂは、面取り部３０４Ａに形成されているため、前面に形成されているよりも、装置前方からは見えにくく、カバー部材３０４の意匠的な要素を損なわない構造となっている。
【００８７】
また、図８に示される如く、カバー部材３０４の図８の上端部には、縦長のスリット孔３１０が設けられており、当該スリット孔３１０の裏面側には、第２の人感センサ３０が配置されている。第２の人感センサ３０は、検出部３０Ａとして受光部３０ＩＮと投光部３０ＯＵＴとを備え、当該検出部３０Ａが回路基板部３０Ｂに取り付けられている。回路基板部３０Ｂは、ベース部材３０６に取り付けられている。
【００８８】
（センサ電力供給制御）
本実施の形態では、第２の人感センサ３０は、常時、電力供給を受けていない。第２の人感センサ３０は、第１の人感センサ２８が管轄する図６の第１の領域Ｆに移動体（使用者）が進入した時点で電力が供給されて動作を開始し、その後、この第２の人感センサ３０が管轄する図６の第２の領域Ｎに移動体（使用者）が進入した時点でスリープモードからスタンバイモードへの立ち上げを指示する。
【００８９】
すなわち、検出領域の異なる２つの人感センサ（第１の人感センサ２８と第２の人感センサ３０）が互いに連携しあって、必要最小限の電力供給を受けるようになっている。
【００９０】
一方、第２の人感センサ３０の電力供給の遮断に関しては、前記第１の人感センサ２８の移動体検出状況に加え、前記節電中監視制御部２４に設けられたタイマ機能が併用されるようになっている。このタイマ機能は、前述したシステムタイマと区別するため、「センサタイマ」という場合がある。
【００９１】
センサタイマは、節電中監視制御部２４の機能の１つである。すなわち、制御系は当然動作クロックを備えており、このクロック信号からタイマを生成してもよいし、一定時間毎処理毎にカウントするカウンタプログラムを生成してもよい。
【００９２】
図６に示される如く、移動体（使用者）と画像処理装置１０との関係は、大きく分けて３形態あり、第１の形態は、人が画像処理装置１０に対して、使用目的で操作可能位置まで近づいてくる形態（図６のＡ線矢視の動向（Ａパターン）参照）、第２の形態は、人が処理装置を使用目的ではないが、操作可能位置まで近づいてくる形態（図６のＢ線矢視の動向（Ｂパターン）参照）、第３の形態は、人が処理装置の操作可能位置まで近づかないが、第１の形態、第２の形態に移行する可能性のある距離まできている形態（図６のＣ線矢視の動向（Ｃパターン）参照）である。
【００９３】
本実施の形態では、第１の人感センサ２８による検出情報、並びに第１の人感センサ２８による検出情報とセンサタイマの計時情報に基づいて、前記動向（図６に示すＡパターン〜Ｃパターンを基本とする人の移動形態）に即した第２の人感センサ３０の電力供給時期及び電力供給遮断時期を制御している。
【００９４】
ところで、移動体（使用者）の接近状態、離間状態で電力供給体制が異なると、例えば、画像処理装置１０を使用する目的で接近するとき、どの時点で画像処理装置１０に電力が供給されるのかが不明確な場合がある。この場合、第１の人感センサ２８や第２の人感センサ３０が取り付けられるピラー部３０４（図７参照）に、移動体に反応して点灯するインジケータ（ＬＥＤ等）を設け、このインジケータの点灯状態で、人の接近、離間に対して反応していることを報知することが可能である。
【００９５】
しかしながら、画像処理装置１０を使用する目的のユーザーの視線は、主としてＵＩタイッチパネル部２１６であることが多い。このため、ピラー部３０４でのインジケータの点灯状態が視野に入り難く、電力供給状態（遷移状態）を把握することが困難であった。
【００９６】
そこで、本実施の形態では、第１の人感センサ２８と第２の人感センサ３０による移動体（使用者）の検出に連携するように、ＵＩタッチパネル部２１６のバックライト部２１６ＢＬの点灯状態を制御するようにした。
【００９７】
本実施の形態では、このバックライト部２１６Ｂの点灯状態の制御としては、光量制御を適用しており、この光量制御は、スリープモード中の特定の期間に実行される。
【００９８】
ここでいうスリープモード中の特定の期間とは、スリープモード中に、第２の人感センサ３０により人を検出し、まず、メインコントローラ２００を立ち上げて、ＵＩタッチパネル２１６の操作を可能とする期間である。
【００９９】
このとき、ＵＩタッチパネル２１６の画面を照明するためのバックライト部２１６の明るさ（輝度）を複数段階に調整（以下、「明るさ調整」「輝度調整」等という場合がある）可能とし、人の接近、離間に連携して、明るさを制御する。
【０１００】
図９は、メインコントローラ２００を中心とした、バックライト部２１６の明るさ調整に特化した機能ブロック図である。なお、この機能ブロック図は、メインコントローラ２００のハード構成を限定するものではない。
【０１０１】
監視制御部２４は、スリープモード中でも電源供給制御回路２５２から電力の供給を受けており、かつ、監視制御部２４では、第１の人感センサ２８には常時電力を供給している。一方、監視制御部２４では、第１の人感センサ２８により移動体を検出した時点で、第２の人感センサ３０へ電力を供給する。
【０１０２】
なお、電源供給制御回路２５２は、メインコントローラ２００の一部であるが、監視制御部２４を介して第２の人感センサ３０により使用者の検出情報が入力されることで、ＣＰＵ２０４等、他の構成部品に電力を供給する（メインコントローラ２００の立ち上げ）。
【０１０３】
また、ＵＩタッチパネル２１６は、タッチパネル部２１６ＴＰとバックライト部２１６ＢＬを備え、前記電源供給制御回路２５２の制御により、ＳＷ−５２７６がオンとなったとき、電力が供給されるようになっている。なお、ここでは、前記メインコントローラ２００の立ち上げに同期して、ＵＩタッチパネル２１６に電源が供給される。
【０１０４】
図９に示される如く、メインコントローラ２００の監視制御部２４は、移動形態判定部２８０に接続されている。この移動形態判定部２８０には、前記監視制御部２４に接続された第１の人感センサ２８及び第２の人感センサ３０による移動体検出に基づく情報が入力されるようになっている。
【０１０５】
移動形態判定部２８０では、移動体検出に基づく情報（図６に示す領域Ｆと領域Ｎとにおいて、双方の領域外、領域Ｆ内であるが領域Ｎ外、領域Ｎ内の３種類）に基づいて、これらの３種類の位置を相互に移動する形態を判定する。
【０１０６】
移動形態判定部２８０は、バックライト輝度調整部２８２に接続されている。バックライト輝度調整部２８２は、前記移動形態判定部２８０からの移動形態情報を受けて、バックライト部２１６ＢＬの輝度を通常の明るさよりも暗くなるように調整する。
【０１０７】
スリープモード中におけるバックライト部２１６ＢＬの輝度調整を含む電力供給形態は、大きく分類して４段階としている。
【０１０８】
（段階１）  第１の人感センサ２８で移動体を検出したとき、第２の人感センサ３０への電力を供給する（図１０参照）。
【０１０９】
すなわち、図１０（Ａ）に示される如く、移動体（図１０において符号Ｈを付す）が第１の人感センサ２８の領域Ｆ外にいるときは、第２の人感センサ３０には電力が供給されていない。この状態から、図１０（Ｂ）に示される如く、移動体が第１の人感センサ２８の領域Ｆ内に入ると、第２の人感センサ３０に電力が供給され、第２の人感センサ３０の検出領域が発生する。
【０１１０】
（段階２）  第２の人感センサ３０で使用者を検出したとき、バックライト部２１６ＢＬを通常の輝度（明るさ）で点灯する（図１１参照）。
【０１１１】
すなわち、図１１（Ａ）に示される如く、移動体（図１１において符号Ｈを付す）が第１の人感センサ２８の領域Ｆ内、かつ第２の人感センサ３０の領域Ｎ外にいるときは、バックラライト部２１６ＢＬは消灯が維持される。この状態から、図１１（Ｂ）に示される如く、移動体が第２の人感センサ３０の領域Ｎ内に入ると、バックライト部２１６ＢＬが通常の輝度（明るさ）で点灯する。
【０１１２】
（段階３）  使用者がタッチパネル部２１６ＴＰ等の入力系を操作せず、第２の人感センサ３０の検出外（領域Ｎ外）に離れた時点で、バックライト部２１６ＢＬの輝度を１段階下げる（図１２参照）。
【０１１３】
すなわち、図１２（Ａ）に示される如く、移動体（図１２において符号Ｈを付す）が第２の人感センサ３０の領域Ｎ内にいるときは、バックライト部２１６ＢＬは、通常の輝度（明るさ）で点灯している。この状態から、図１２（Ｂ）に示される如く、移動体が第２の人感センサ３０の領域Ｎ外、かつ第１の人感センサ２８の領域Ｆ内まで離れると、バックライト部２１６の輝度（明るさ）を通常時よりも暗くする。
【０１１４】
（段階４）  領域Ｎ外に離れた使用者が、第１の人感センサ２８以外（領域Ｆ外）にさらに離れた時点で、バックライト部２１６ＢＬをタイマ計時に基づき、段階的に暗くしていき、最終的に消灯する（図１３参照）。なお、直接消灯でもよい。
【０１１５】
すなわち、図１３（Ａ）に示される如く、移動体（図１３において符号Ｈを付す）が第１の人感センサ２８の領域Ｆ内にいるときは、バックライト部２１６ＢＬが通常よりも暗い状態で点灯している。この状態から、図１３（Ｂ）に示される如く、移動体が第１の人感センサ２８の領域Ｆ外に離れると、バックライト部２１６ＢＬを、段階的に暗くして消灯、或いは直接消灯する。
【０１１６】
以下、本実施の形態の作用を説明する。
【０１１７】
（画像処理装置１０（デバイス）の電力供給制御のモード遷移）
まず、図５に基づき、画像処理装置１０における、各モード状態と、当該モード状態の移行の契機となる事象を示したタイミングチャートを示す。
【０１１８】
画像処理装置１０は、処理がなされていないと動作状態は、スリープモードとなり、本実施の形態では、節電中監視制御部２４にのみ電力が供給されている。
【０１１９】
ここで、立ち上げ契機（第２の人感センサ３０による使用者検出等の立ち上げトリガの検出、或いは節電制御ボタン２６等の操作）があると、動作状態はウォームアップモードへ遷移する。
【０１２０】
なお、この立ち上げトリガ契機後は、依然としてスリープモードと定義する場合もあるが、メインコントローラ２００及びＵＩタッチパネル２１６の起動によって、節電中監視制御部２４のみの電力供給よりも電力供給量が増加する。また、例えば、節電制御ボタン２６の操作によって復帰すると、ジョブを選択するモードまで復帰し、選択されたジョブによってどのデバイスが起動するかが決まり、画像形成部２４０が起動しない場合はウォームアップしない場合もある。
【０１２１】
前記立ち上げのトリガとしては、第１の人感センサ２８と第２の人感センサ３０による連携による使用者検出、使用者の節電制御ボタン２６の操作による節電解除操作の他、例えば、人感センサによる検出結果に基づく信号やＩＣカードリーダ２１７の操作認証であってもよい。
【０１２２】
ウォームアップモードは画像処理装置１０（主として、画像形成部２４０の定着部の温度）を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。なお、ＩＨヒータとハロゲンランプの併用も可能である。
【０１２３】
ウォームアップモードによる暖機運転が終了すると、画像処理装置１０はスタンバイモードに遷移するようになっている。なお、暖気運転は、最も電力を消費するモードである（例えば、１２００Ｗ）。
【０１２４】
スタンバイモードは、文字通り「事に備えて準備が完了している」モードであり、画像処理装置１０においては、画像処理の動作が即実行できる状態となっている。
【０１２５】
このため、キー入力としてジョブ実行操作があると、画像処理装置１０の動作状態は、ランニングモードに遷移し、指示されたジョブに基づく画像処理が実行されるようになっている。
【０１２６】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、システムタイマによる計時を開始し、予め定めた時間経過した後に待機トリガを出力し、スタンバイモードへ遷移するようにしてもよい。
【０１２７】
このスタンバイモード中にジョブ実行指示があれば、再度ランニングモードへ遷移し、立ち下げのトリガ検出、或いは予め定めた時間が経過したとき、スリープモードへ遷移するようになっている。なお、立ち下げのためのトリガは、例えば、人感センサによる検出結果に基づく信号やシステムタイマ、並びにこれらの併用が可能である。
【０１２８】
また、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【０１２９】
このように、本実施の形態の画像処理装置１０は、モードの間を相互に遷移しており、各モード毎に消費される電力が異なっている。
【０１３０】
また、本実施の形態では、各デバイス毎に電力供給制御が行われることで、例えば、スリープモードから画像読取処理が指示された場合には、画像形成部２４０を起動することなく、画像読取部２３８を通電するといった、所謂部分節電が可能である。
【０１３１】
（スリープモード中における第１の人感センサ２８、第２の人感センサ３０での監視）
ここで、本実施の形態では、スリープモード中は、基本的には、第１の人感センサ２８のみが電力供給を受けて、移動体の接近状態を監視している。この監視する領域（検出領域）は、図６の領域Ｆに相当し、第１の人感センサ２８の検出部２８Ａ（複数の検出素子３１４）に入力される赤外線に基づく電気信号の解析（変化量）によって、移動体の有無を検出している。
【０１３２】
この第１の人感センサ２８によって移動体を検出すると（図６の領域Ｆ内での移動体検出）、第２の人感センサ３０への電力供給を開始する。
【０１３３】
第２の人感センサ３０は、図６の領域Ｎで示すように、第１の人感センサ２８の検出領域よりも画像処理装置１０に近く、かつ狭い領域であるため、確実に画像処理装置１０を使用する使用者であることを認識し、画像処理装置１０の一部（例えば、メインコントローラ２００とＵＩタッチパネル２１６等）又は全部に電力を供給する。
【０１３４】
このように、第１の人感センサ２８と第２の人感センサ３０とを併用し、段階的に検出形態をとることで、単に通りすがりの移動体と、画像処理装置１０を使用する意志のある使用者とを区別することが可能である。
【０１３５】
（バックライト部２１６ＢＬの輝度調整）
移動体（使用者）の接近状態、離間状態で電力供給体制が異なると、例えば、画像処理装置１０を使用する目的で接近するとき、どの時点で画像処理装置１０に電力が供給されるのかが不明確な場合がある。そこで、スリープモード中（節電中）において、第１の人感センサ２８と第２の人感センサ３０による移動体（使用者）の検出に連携するように、ＵＩタッチパネル部２１６のバックライト部２１６ＢＬの点灯状態を制御するようにした。
【０１３６】
図１４は、本実施の形態に係り、バックライト部２１６ＢＬの輝度調整を含む、節電中電力供給時期監視制御ルーチンを示すフローチャートである。
【０１３７】
ステップ１００では、第１の人感センサ２８で移動体を検出したか否かが判断され、肯定判定されると、ステップ１０２へ移行して第２の人感センサ３０へ電力供給を開始する。これにより、第２の人感センサ３０による検出が開示される。
【０１３８】
次のステップ１０４では、第２の人感センサ３０で移動体（使用者）を検出したか否かが判断され、否定判定された場合はステップ１０６へ移行して、第１の人感センサ２８で移動体を検出したか否かが判断される。このステップ１０６で肯定判定されると、移動体（使用者）は図６の領域Ｆ内、かつ領域Ｎ外にいると判断し、ステップ１０４へ戻り、位置に変化がない場合は、ステップ１０４、１０６を繰り返す。
【０１３９】
ここで、ステップ１０６で否定判定されると、移動体（使用者）は、画像処理装置１０から離れた（図６の領域Ｆ外になった）と判断し、ステップ１０８へ移行して第２の人感センサ３０への電力供給を終了し（第２の人感センサ３０による検出終了）、ステップ１００へ戻る。
【０１４０】
一方、ステップ１０４で肯定判定されると、移動体（使用者）が図６の領域Ｎ内に入ったと判断し、ステップ１１０へ移行してメインコントローラ２００、ＵＩタッチパネル２１６へ電力供給を開始し、次いでステップ１１２へ移行してバックライト部２１６ＢＬを通常点灯させ、ステップ１１４へ移行する。
【０１４１】
次のステップ１１４では、タッチパネル部２１６ＴＰ等の入力系の操作があったか否かが判断され、肯定判定されると、画像処理装置１０を稼働させる意志があると判断し、ステップ１１６へ移行して、画像処理装置１０への電力供給状態を通常モードに移動する処理を行い、このルーチンは終了する。なお、通常モードとは、使用者の操作に基づく、必要最小限のデバイスへの電力供給であってもよいし（部分節電）、全てのデバイスに電力を供給するようにしてもよい。
【０１４２】
ここで、前記ステップ１１４で否定判定、タッチパネル部２１６ＴＰ等の入力系の操作がない場合ハ、ステップ１１８へ移行する。ステップ１１８では、第２の人感センサ３０で移動体（使用者）を検出したか否かが判断される。このステップ１１８で肯定判定、すなわち、移動体（使用者）を検出している期間は、タッチパネル部２１６ＴＰ等の入力系を操作する可能性があると判断し、ステップ１１４へ戻る。
【０１４３】
また、ステップ１１８で否定判定された場合は、タッチパネル部２１６ＴＰ等の入力系の操作がされることなく、移動体が図６の領域Ｎ外に離れたと判断し、ステップ１２０へ移行してバックライト部２１６の輝度（明るさ）を１段階減光する（減光段階（ａ））。
【０１４４】
ここで、減光段階とは、図１５に示される如く、予めバックライト部２１６ＢＬの輝度（明るさ）を段階的に調整可能にしておくことをいう。減光段階（ａ）は、その内の通常点灯よりも１段階暗い状態である。
【０１４５】
次のステップ１２２では、第１の人感センサ２８で移動体（使用者）を検出したか否かが判断され、肯定判定、すなわち、図６の領域Ｆ内であると判定された場合は、ステップ１２４へ移行して第２の人感センサ３０で移動体（使用者）を検出したか否かが判断される。このステップ１２４で否定判定、すなわち、図６の領域Ｎ外と判定された場合は、ステップ１２２へ戻り、移動体（使用者）が図６の領域Ｆ内、かつ領域Ｎ外に留まっている間は、ステップ１２２、１２４を繰り返す。
【０１４６】
ここで、ステップ１２４で肯定判定、すなわち移動体（使用者）が再び図６の領域Ｎ内に入ったと判断された場合は、ステップ１１２へ戻りバックライト部２１６ＢＬを通常点灯させ、上記肯定を繰り返す。
【０１４７】
また、ステップ１２２で否定判定、すなわち、移動体（使用者）が図６の領域Ｆ外に離れたと判断された場合は、ステップ１２６へ移行してタイマにより計時を開始し、ステップ１２８へ移行する。ステップ１２８では、バックライ部２１６の輝度（明るさ）を１段階減光する。上記タイマは、図１５のタイマ設定時間を計時するデバイスであり、タイマスタート時には、減光段階を（ａ）〜（ｂ）へ遷移させる。
【０１４８】
次のステップ１３０では、第１の人感センサ２８で移動体を検出したか否かが判断される。このステップ１３０で否定判定されると、ステップ１３２へ移行して、予め定めた時間が経過したか否かが判断され、否定判定された場合は、ステップ１３０へ戻る。また、ステップ１３２で肯定判定されると、次の減光時期であると判断し、ステップ１３４へ移行する。ステップ１３４ではタイムアップ（図１５参照）か否かが判断される。このステップ１３４で否定判定された場合は、ステップ１２８へ戻り、バックライト部２１６ＢＬを１段階減光する。すなわち、図１５に示される如く、タイマスタート時に減光段階（ｂ）とされた後、予め定められた時間毎に、バックライト部２６ＢＬは、段階的に減光段階（ｃ）〜（ｅ）へ減光されていく。なお、この段階数は限定されるものでなく、極端に言えば、予め定めた変化率に基づいて連続的の徐々に減光していくようにしてもよい。
【０１４９】
ここで、ステップ１３４において、肯定判定、タイムアップすると、ステップ１３６へ移行してバックライト部２１６ＢＬを完全に消灯させる。すなわち、スリープモードに戻ったことになり、ステップ１００へ戻る。
【０１５０】
一方、前記ステップ１３０で、肯定判定されると、再び移動体（使用者）が図６の領域Ｆ内に入ったと判断し、ステップ１３８へ移行して、タイマ計時による減光を解除して（バックライト部２１６ＢＬの輝度（明るさ）を減光段階（ａ）として）、ステップ１４０へ移行する。ステップ１４０では、第２の人感センサ３０で移動体（使用者）を検出したか否かが判断され、否定判定された場合は、ステップ１２２へ戻り、肯定判定された場合は、ステップ１１２へ戻る。
【０１５１】
図１６に示す点線矢印は、図１４のフローチャートにおける、主たる移動体（使用者）の変遷を示したものであり、それぞれにおいて、バックライト部２１６ＢＬの輝度（明るさ）が変化していることで、使用者がＵＩタッチパネル２１６に向けた視線をそらすことなく、画像処理装置１０の電力供給状態を認識することが可能となる。
【符号の説明】
【０１５２】
Ｗ    壁面
１０    画像処理装置
２０    ネットワーク通信回線網
２１    ＰＣ
２２    電話回線網
２４    節電中監視制御部
２６    節電制御ボタン
２８    第１の人感センサ
３０    第２の人感センサ
３０Ａ    検出部
３０Ｂ    回路基板部
３０ＩＮ    受光部
３０ＯＵＴ    投光部
５０    遮光カバー
５２    モータ
２００    メインコントローラ
２０４    ＣＰＵ
２０６    ＲＡＭ
２０８    ＲＯＭ
２１０    Ｉ／Ｏ（入出力部）
２１２    バス
２１６    ＵＩタッチパネル
２１６ＴＰ    タッチパネル部
２１６ＢＬ    バックライト部
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６６    ファクシミリ通信制御回路電源供給部
２６８    第２のサブ電源スイッチ（「ＳＷ−２」）
２７０    第３のサブ電源スイッチ（「ＳＷ−３」）
２７４    第４のサブ電源スイッチ（「ＳＷ−４」）
２７６    第５のサブ電源スイッチ（「ＳＷ−５」）
２８０    移動形態判定部
２８２    バックライト輝度調整部
【図１】
0005906878.tif 000002
【図２】
0005906878.tif 000003
【図３】
0005906878.tif 000004
【図４】
0005906878.tif 000005
【図５】
0005906878.tif 000006
【図６】
0005906878.tif 000007
【図７】
0005906878.tif 000008
【図８】
0005906878.tif 000009
【図９】
0005906878.tif 000010
【図１２】
0005906878.tif 000011
【図１３】
0005906878.tif 000012
【図１４】
0005906878.tif 000013
【図１５】
0005906878.tif 000014
【図１６】
0005906878.tif 000015
【図１０】
0005906878.tif 000016
【図１１】
0005906878.tif 000017